(57)【要約】【課題】多数ユーザのホームページに対する人気や評判を反映する定形評価コメントによってＷＥＢサイト情報一覧のサイト順を最適化する。【解決手段】ユーザがＷＥＢ検索の検索条件とＷＥＢサイトのホームページを閲覧して定形評価コメントとＷＥＢサイト情報一覧の定形最適化条件とを入力するクライアント端末１０と、検索条件を受け取り、検索結果のＷＥＢサイト情報一覧を順番付けて出力するＷＥＢ検索エンジン３０と、ホームページに対する定形評価コメントを評価コメント記憶データベース２６に度数を付して蓄積し、蓄積度数付き評価コメントを度数によって整理した整理済み評価コメントを評価コメントデータベース２７に登録し、ＷＥＢ検索結果最適化要求によって、評価コメントデータベース２７を参照してＷＥＢ検索サイト情報一覧のサイト順を最適化するＷＥＢ検索結果最適化装置２０と、を備える。【選択図】      図１
2007034772.tif 000002
【特許請求の範囲】
【請求項１】
クライアント端末からネットワークを通じてＷＥＢ検索エンジンに検索条件を送り、前記ＷＥＢ検索エンジンが前記検索条件に基づいてＷＥＢ検索し、検索結果のＷＥＢサイト情報一覧を前記クライアント端末に出力表示するＷＥＢ検索結果の表示システムにおいて、
ＷＥＢ検索の検索条件とホームページ閲覧に対する定形評価コメントとＷＥＢサイト情報一覧の並び順を並び替える定形最適化条件とを入力するクライアント端末と、
前記検索条件を受け取り、検索結果のＷＥＢサイト情報一覧をスコア順に並べて出力するＷＥＢ検索エンジンと、
前記クライアント端末から入力した前記定形評価コメントによって度数付き評価コメントを更新して評価コメント記憶データベースに蓄積し、前記度数付き定形評価コメントの項目内容を前記度数によって選択整理した整理済み評価コメントを評価コメントデータベースに登録し、前記ＷＥＢサイト情報一覧のサイト情報と前記整理済み評価コメントの項目内容とを戻り値表で連結し、前記定形最適化条件によって前記戻り値表をソートして、前記ＷＥＢ検索エンジンから出力される前記ＷＥＢサイト情報一覧の並び順を並び替えて前記クライアント端末に出力するＷＥＢ検索結果最適化装置と、
を備えることを特徴とするＷＥＢ検索結果の最適表示システム。
【請求項２】
前記定形評価コメントは、
前記クライアント端末のＧＵＩのツールバー上のテンプレートで、選択スイッチが評価コメント入力モードを選択しているとき、ホームページの対象性別を示す項目と、対象年齢層を選択するプルダウンメニュー項目と、推奨する度合いを示すレーティング項目と、閲覧したＷＥＢサイトに対するユーザ自身の評価コメントを表す短語のキーワード項目と、でなることを特徴とする請求項１のＷＥＢサイト検索結果の最適表示システム。
【請求項３】
前記定形最適化条件は、
前記クライアント端末のＧＵＩのツールバー上のテンプレートで、選択スイッチが最適化条件入力モードを選択しているとき、対象性別を指定する項目と、対象年齢層を選択するプルダウンメニュー項目と、閲覧したＷＥＢサイトに対するユーザ自身の評価コメントを表す短語のキーワード項目と、のうちから一つ以上を指定した条件の下で、推奨の度合いを示すレーティングの降順で示されること特徴とする請求項１記載のＷＥＢサイト検索結果の最適表示システム。
【請求項４】
クライアント端末から入力されるＷＥＢ検索の検索条件を受け取りＷＥＢ検索エンジンに渡す検索条件入力部と、
前記クライアント端末から入力されるホームページに対する定形評価コメントによって度数付き評価コメントを更新して評価コメント記憶データベースに蓄積する評価コメント入力部と、
前記度数付き評価コメントを保持する評価コメント記憶データベースと、
前記評価コメント記憶データベースの度数付き評価コメントの項目内容を度数によって選択整理した整理済み評価コメントを評価コメントデータベースに登録する評価コメントデータベース更新部と、
前記整理済み評価コメントを保持する評価コメントデータベースと、
前記ＷＥＢ検索エンジンから出力される前記ＷＥＢサイト情報一覧の並び順を並び替える定形最適化条件を前記クライアント端末から受け取る最適化条件入力部と、
前記ＷＥＢサイト情報一覧のＵＲＬと前記整理済み評価コメントのＵＲＬとを照合し、一致するＵＲＬのＷＥＢサイト情報と整理済み評価コメントとを戻り値表に連結して記入し、前記定形最適化条件によって前記戻り値表をソートし、前記ＷＥＢサイト情報一覧の並び順を並び替える検索結果最適化出力部と、
を有することを特徴とするＷＥＢ検索結果最適化装置。
【請求項５】
前記定形評価コメントは、
前記クライアント端末のＧＵＩのツールバー上のテンプレートで、選択スイッチが評価コメント入力モードを選択しているとき、ホームページの対象性別を示す項目と、対象年齢層を選択するプルダウンメニュー項目と、推奨する度合いを示すレーティング項目と、閲覧したＷＥＢサイトに対するユーザ自身の評価コメントを表す短語のキーワード項目と、でなることを特徴とする請求項４のＷＥＢサイト検索結果最適化装置。
【請求項６】
前記定形最適化条件は、
前記クライアント端末のＧＵＩのツールバー上のテンプレートで、選択スイッチが最適化条件入力モードを選択しているとき、対象性別を指定する項目と、対象年齢層を選択するプルダウンメニュー項目と、閲覧したＷＥＢサイトに対するユーザ自身の評価コメントを表す短語のキーワード項目と、から一つ以上を指定した条件の下で、推奨の度合いを示すレーティングの降順で示されること特徴とする請求項４記載のＷＥＢサイト検索結果最適化装置。
【請求項７】
検索条件をＷＥＢ検索エンジンに渡す第１のステップと、
前記ＷＥＢ検索エンジンの検索結果であるＷＥＢサイト情報一覧を格納する戻り値表のポインタを初期設定する第２のステップと、
前記ポインタが指す前記戻り値表のエントリーにＷＥＢサイト情報のＵＲＬ及び説明文を格納する第３のステップと、
整理済み評価コメントを登録する評価コメントデータベースを前記ＵＲＬによって検索し、前記ＵＲＬに同じＵＲＬを有する前記整理済み評価コメントが存在するか否かを判定する第４のステップと、
前記整理済み評価コメントが存在する場合、前記整理済み評価コメントを前記エントリーの前記ＷＥＢサイト情報の前記ＵＲＬ及び説明文に連結して記入し、前記整理済み評価コメントが前記評価コメントデータベースに存在しない場合、次の第６のステップに移る第５のステップと、
前記ポインタを増分して、前記ポインタが前記戻り値表のエントリの最大値を越えてか否かを判定し、越えていないとき第３のステップに戻り、越えているとき第７のステップに移る第６のステップと、
前記戻り値表を定形最適化条件で指定する条件の下で、かつ推奨度合いを示すレーティングの降順にソートする第７ステップと、
ソートされた戻り値表のＷＥＢサイト情報一覧をクライアント端末に出力する第８のステップと、
前記クライアント端末から入力されるホームページに対する定形評価コメントによって、度数付き評価コメントを更新して評価コメント記憶データベースに蓄積する第９のステップと、
前記評価コメント記憶データベースに蓄積された前記度数付き評価コメントを項目内容の度数によって選択整理した整理済み評価コメントによって前記評価コメントデータベースを更新する第１０のステップと、
を実行することを特徴とするＷＥＢ検索結果の最適表示方法。
【請求項８】
前記定形評価コメントは、
前記クライアント端末のＧＵＩのツールバー上のテンプレートで、選択スイッチが評価コメント入力モードを選択しているとき、ホームページの対象性別を示す項目と、対象年齢層を選択するプルダウンメニュー項目と、推奨する度合いを示すレーティング項目と、閲覧したＷＥＢサイトに対するユーザ自身の評価コメントを表す短語のキーワード項目と、でなることを特徴とする請求項７記載のＷＥＢサイト検索結果の最適表示方法。
【請求項９】
前記定形最適化条件は、
前記クライアント端末のＧＵＩのツールバー上のテンプレートで、選択スイッチが最適化条件入力モードを選択しているとき、対象性別を指定する項目と、対象年齢層を選択するプルダウンメニュー項目と、閲覧したＷＥＢサイトに対するユーザ自身の評価コメントを表す短語のキーワード項目と、のうちから一つ以上を指定した条件の下で、推奨の度合いを示すレーティングの降順で示されること特徴とする請求項７記載のＷＥＢサイト検索結果の最適表示方法。
【請求項１０】
検索条件をＷＥＢ検索エンジンに渡す第１のステップと、
前記ＷＥＢ検索エンジンの検索結果であるＷＥＢサイト情報一覧を格納する戻り値表のポインタを初期設定する第２のステップと、
前記ポインタが指す前記戻り値表のエントリーにＷＥＢサイト情報のＵＲＬ及び説明文を格納する第３のステップと、
整理済み評価コメントを登録する評価コメントデータベースを前記ＵＲＬによって検索し、前記ＵＲＬに同じＵＲＬを有する前記整理済み評価コメントが存在するか否かを判定する第４のステップと、
前記整理済み評価コメントが存在する場合、前記整理済み評価コメントを前記エントリーの前記ＷＥＢサイト情報の前記ＵＲＬ及び説明文に連結して記入し、前記整理済み評価コメントが前記評価コメントデータベースに存在しない場合、次の第６のステップに移る第５のステップと、
前記ポインタを増分して、前記ポインタが前記戻り値表のエントリの最大値を越えてか否かを判定し、越えていないとき第３のステップに戻り、越えているとき第７のステップに移る第６のステップと、
前記戻り値表を定形最適化条件で指定する条件の下で、かつ推奨度合いを示すレーティングの降順にソートする第７ステップと、
ソートされた戻り値表のＷＥＢサイト情報一覧をクライアント端末に出力する第８のステップと、
前記クライアント端末から入力されるホームページに対する定形評価コメントによって、度数付き評価コメントを更新して評価コメント記憶データベースに蓄積する第９のステップと、
前記評価コメント記憶データベースに蓄積された前記度数付き評価コメントを項目内容の度数によって選択整理した整理済み評価コメントによって前記評価コメントデータベースを更新する第１０のステップと、
をコンピュータに実行させるＷＥＢサイト検索結果の最適表示方法のプログラム。
【発明の詳細な説明】
【技術分野】
【０００１】
この発明は、インターネットによるＷＥＢ検索結果のＷＥＢサイト情報一覧の出力表示に関し、特に、ホームページに対するユーザの人気や評判が反映する評価コメントをデータベース化し、ＷＥＢサイト情報一覧におけるサイト情報の並び順をデータベースの評価コメントに基づいて最適化するＷＥＢサイト検索結果の最適表示システム及びその装置及びその方法及びそのプログラムに関する。
【背景技術】
【０００２】
近年、インターネットを使って情報収集を行うことが一般的になってきた。特に、ＷＥＢ検索エンジンによるＷＥＢ検索は、情報収集を行う際に非常に有効な方法の一つである。現在サービス中のＷＥＢ検索エンジンの多くは、ウェブクローラーと呼ばれるプログラムがインターネット網を巡回し、ネット上に存在するＷＥＢサイトのデータを自動的に取得している。例示する図７によって説明すると、ユーザーがクライアント端末９１からキーワード入力９２１で検索要求９２をＷＥＢ検索エンジン９３に送り、検索結果９４をクライアント端末９１に返信する。その際に表示される検索結果のＷＥＢサイト情報一覧のサイト情報の並び順位（ページスコア）は、ＷＥＢ検索エンジン９３で取得されたデータを元に独自アルゴリズム、例えばアクセス回数などのページスコアで自動的に決定されている。
【０００３】
ページスコアはあくまでも検索システムが取得した頻度データなどを元に一覧に載せられるものであり、人間がＷＥＢページの内容を確認してキーワードにふさわしい内容のページであるか否かを判断して、ＷＥＢサイト情報一覧のサイト情報の並び方を決めているわけではない。そのため、ユーザの検索要求に合致している有益なＷＥＢサイト情報が一覧の先頭に並べられるとは限らない。
【０００４】
従来例の一つに、ホームページに対するアクセス回数と接続時間とから該ホームページに対する接続時間を集計して興味度を評価し、該評価によってＵＲＬの順序づけを行って出力表示する。ユーザの興味度を回数や時間で評価することは一つの方法ではあるが、ユーザのホームページに対する人気や評判が直接反映する評価コメントとは異なる（特許文献１）。
【０００５】
更に、他の例には、端末装置からの要求に応じてＷＥＢサイトを検索し、検索されたＷＥＢサイトの表示順位を、順位化に用いる各要素に重み付けパラメータを設定することによって、表示順序の精度向上を図る発明である。この各要素には、ＷＥＢサイトの付加情報が用いられる。付加情報には、ＵＲＬ最新更新日、ページ全体容量、ページ内キーワード出現回数など、ＷＥＢサイト自体に関わる情報が用いられている。したがって、ユーザがＷＥＢサイトのホームページを閲覧した結果による人気や評判に基づく評価コメントが反映されるわけではない（特許文献２）。
【０００６】
【特許文献１】特開平１０−１４３５１９号公報（図２、カラム番号００４０−００４６）
【特許文献２】特開２００４−２７２４９２号公報（カラム番号００１５−００１６）
【発明の開示】
【発明が解決しようとする課題】
【０００７】
上記の従来例では、ＷＥＢ検索エンジンで測定可能な計測値を検索結果の出力順番に反映させている。しかし、ユーザがＷＥＢサイトのホームページを閲覧したときに反応する人気や評判がＷＥＢサイト情報一覧の並び順に反映させていない。
【０００８】
そこで、この発明は、あるＷＥＢページに対する多数ユーザーから入力される定形評価コメントを項目毎に同じ内容を度数に換算した度数付き評価コメントとして評価コメント記憶データベースに蓄積する。評価コメント記憶データベースからＷＥＢサイト毎に、度数付き評価コメントの最高度数の項目内容を抽出して整理済み評価コメントを作成して、ＷＥＢサイトに対する多数ユーザの人気や評判を反映する評価コメントデータベースを作成する。
【０００９】
ＷＥＢ検索を行う際に、ＷＥＢ検索エンジンのＷＥＢサイト情報一覧に評価コメントデータベースの整理済み評価コメントを連結し、該整理済み評価コメントの項目を指定することによって一覧の並び順を組み替える。ＷＥＢ検索エンジン独自のページスコアに加えて、多数ユーザの意見がＷＥＢサイト情報一覧の並び順に反映する仕組みが実現する。この仕組みによって、ユーザに人気や評判が高い、ユーザ要求により合致したＷＥＢサイト情報一覧を出力表示することができる。
【００１０】
また、ホームページに対する評価コメントの入力や検索結果の並び順に対する最適化条件設定はツールバー上にテンプレートを用いて定形化し、入力操作を容易に行える仕組みにする。
【００１１】
この発明の目的は、多数ユーザのホームページに対する人気や評判に基づく評価コメントがＷＥＢサイト情報一覧の並び順に反映する最適表示システム及びその装置及びその方法及びそのプログラムを実現することにある。
【００１２】
更に、他の目的は、ユーザが入力する評価コメント及び最適化条件をツールバー上のテンプレートによって入力し、操作性を向上させることにある。
【課題を解決するための手段】
【００１３】
上記目的を実現するために、この発明は、クライアント端末からネットワークを通じてＷＥＢ検索エンジンに検索条件を送り、前記ＷＥＢ検索エンジンが前記検索条件に基づいてＷＥＢ検索し、検索結果のＷＥＢサイト情報一覧を前記クライアント端末に出力表示するＷＥＢ検索結果の表示システムにおいて、ＷＥＢ検索の検索条件とホームページ閲覧に対する定形評価コメントとＷＥＢサイト情報一覧の並び順ｗ２お並び替える定形最適化条件とを入力するクライアント端末と、前記検索条件を受け取り、検索結果のＷＥＢサイト情報一覧をスコア順に並べて出力するＷＥＢ検索エンジンと、前記クライアント端末から入力した前記定形評価コメントによって度数付き評価コメントを更新して評価コメント記憶データベースに蓄積し、前記度数付き定形評価コメントの項目内容を前記度数によって選択整理した整理済み評価コメントを評価コメントデータベースに登録し、前記ＷＥＢサイト情報一覧のサイト情報に前記整理済み評価コメントの項目内容を戻り値表で連結し、前記定形最適化条件によって前記戻り値表をソートして、前記ＷＥＢ検索エンジンから出力される前記ＷＥＢサイト情報一覧の並び順を並び替えて前記クライアント端末に出力表示するＷＥＢ検索結果最適化装置と、を備える。
【００１４】
更に、前記定形評価コメントは、前記クライアント端末のＧＵＩのツールバー上のテンプレートで、選択スイッチが評価コメント入力モードを選択しているとき、ホームページの対象性別を示す項目と、対象年齢層を選択するプルダウンメニュー項目と、推奨する度合いを示すレーティング項目と、閲覧したＷＥＢサイトに対するユーザ自身の評価コメントを表す短語のキーワード項目と、でなる。
【００１５】
更に、前記定形最適化条件は、前記クライアント端末のＧＵＩのツールバー上のテンプレートで、選択スイッチが最適化条件入力モードを選択しているとき、対象性別を指定する項目と、対象年齢層を選択するプルダウンメニュー項目と、閲覧したＷＥＢサイトに対するユーザ自身の評価コメントを表す短語のキーワード項目と、から一つ以上を指定した条件の下で、推奨の度合いを示すレーティングの降順で示される。
【００１６】
更に、ＷＥＢ検索結果最適化装置は、クライアント端末から入力されるＷＥＢ検索の検索条件を受け取りＷＥＢ検索エンジンに渡す検索条件入力部と、前記クライアント端末から入力されるホームページに対する定形評価コメントによって度数付き評価コメントを更新して評価コメント記憶データベースに蓄積する評価コメント入力部と、前記度数付き評価コメントを保持する評価コメント記憶データベースと、前記評価コメント記憶データベースの度数付き評価コメントをそれの度数によって選択整理した整理済み評価コメントを評価コメントデータベースに登録する評価コメントデータベース更新部と、前記整理済み評価コメントを保持する評価コメントデータベースと、前記ＷＥＢ検索エンジンから出力される前記ＷＥＢサイト情報一覧の並び順を並び替える定形最適化条件を前記クライアント端末から受け取る最適化条件入力部と、前記ＷＥＢサイト情報一覧のＵＲＬと前記整理済み評価コメントのＵＲＬとを照合し、一致するＵＲＬのＷＥＢサイト情報と整理済み評価コメントとを戻り値表に連結して記入し、前記定形最適化条件によって前記戻り値表をソートし、前記ＷＥＢサイト情報一覧の並び順を並び替える検索結果最適化出力部と、を有する。
【００１７】
更に、前記定形評価コメントは、前記クライアント端末のＧＵＩのツールバー上のテンプレートで、選択スイッチが評価コメント入力モードを選択しているとき、ホームページの対象性別を示す項目と、対象年齢層を選択するプルダウンメニュー項目と、推奨する度合いを示すレーティング項目と、閲覧したＷＥＢサイトに対するユーザ自身の評価コメントを表す短語のキーワード項目と、でなる。
【００１８】
更に、前記定形最適化条件は、前記クライアント端末のＧＵＩのツールバー上のテンプレートで、選択スイッチが最適化条件入力モードを選択しているとき、対象性別を指定する項目と、対象年齢層を選択するプルダウンメニュー項目と、閲覧したＷＥＢサイトに対するユーザ自身の評価コメントを表す短語のキーワード項目と、のうちから一つ以上を指定した条件の下で、推奨の度合いを示すレーティングの降順で示される。
【発明の効果】
【００１９】
この発明の効果は、ＷＥＢ検索結果のＷＥＢサイト情報一覧の並び順にユーザが閲覧したホームページに対する人気や評判が反映することである。その理由は、ユーザがホームページに対して入力した評価コメントをデータベース化し、該データベースを利用して、サイト情報の並び順をユーザの推奨や判断による最適化条件で並び替えることができるからである。
【００２０】
更に、他の効果は、閲覧したホームページに対する評価コメントの入力、サイト情報の並び順を最適化する操作が簡易に実行できることである。その理由は、評価コメントや最適化条件の入力操作が、ＧＵＩにおけるツールバー上のテンプレートから実行できるからである。
【発明を実施するための最良の形態】
【００２１】
次に、この発明を実施するための最良の形態について、図面を参照して説明する。ＷＥＢサイト検索結果の一覧表示を最適化するシステムの実施の形態を示す図１を参照すると、ユーザがＷＥＢ検索の検索条件を入力し、検索結果のＷＥＢサイト情報一覧によってサイト情報を閲覧する、ブラウザを搭載するクライアント端末１０と、ＷＥＢ検索結果のＷＥＢサイト情報一覧のサイト情報の並び順をユーザの評価コメントに基づいて、並び替えて最適化するＷＥＢ検索結果最適化装置２０と、ＷＥＢ検索結果最適化装置２０に接続し、ユーザが入力した検索条件によってＷＥＢ検索するＷＥＢ検索エンジン３０と、クライアント端末１０をＷＥＢ検索結果最適化装置２０に接続するネットワーク４０と、を含む。
【００２２】
ＷＥＢ検索結果最適化装置２０は、クライアント端末１０からの検索条件を受け取り、ＷＥＢ検索エンジン３０に渡す検索条件入力部２１と、ＷＥＢ検索エンジン３０が検索したＷＥＢサイト情報一覧の並び順を最適条件に基づいて並び替えて、クライアント端末１０に出力する検索結果最適化出力部２２と、ユーザがユーザ端末１０を通じて入力する閲覧ホームページに対する定形評価コメントを受け取り、評価コメント記憶データベース２６に蓄積された度数付き評価コメントを更新する評価コメント入力部２３と、ユーザがユーザ端末１０を通じて入力するＷＥＢサイト情報一覧の定形最適化条件を受け取る最適化条件入力部２４と、度数付き評価コメントを蓄積する評価コメント記憶データベース２６と、評価コメント記憶データベースの度数付き評価コメントの項目内容を度数によって選択整理した整理済み評価コメントで評価コメントデータベース２７を更新する評価コメントデータベース更新部２５と、整理済み評価コメントを保持する評価コメントデータベース２７と、を備える。
【００２３】
評価コメント記憶データベース２６は、ユーザがあるＷＥＢサイトのホームページの閲覧時に、該ホームページに対して、いくつかの項目（「男性／女性向け」「対象年齢」「おすすめ度」「キーワード」等）に関する定形評価コメントを評価コメント入力部２３から受け取り、その定形評価コメントの項目内容毎に同一項目内容に度数を付した度数付き評価コメントを格納する。評価コメント自体は、クライアント端末１０のＧＵＩのツールバー上のテンプレートから入力する定形項目で構成する。
【００２４】
評価コメントデータベース２７は、評価コメント記憶データベース２６の度数付き評価コメントの各項目から最高度数の項目内容を選択し、該項目内容からなる整理済み評価コメントを保持する。整理済み評価コメントは評価コメントデータベース更新部２５からの指示によって更新される。
【００２５】
この実施例における検索結果のＷＥＢサイト情報一覧の順番を最適化する機能を示す図２と、定形評価コメントを入力するツールバー上のテンプレート図４（ａ）と、最適化条件を入力するツールバー上のテンプレート図４（ｂ）と、を参照して検索結果を最適化する機能を説明する。ユーザがクライアント端末１０から検索条件を入力し、ＷＥＢ検索エンジン３０に検索要求する（図２のステップ１０１）。検索条件を受け取ったＷＥＢ検索エンジン３０はＷＥＢ検索して、検索結果のＷＥＢサイト情報一覧をクライアント端末１０に送る（ステップ１０２）。ユーザは、ＷＥＢサイト情報一覧に対して、ＷＥＢサイトの並び順を定形最適化条件を最適化条件入力テンプレート２４５０から入力し、ＷＥＢ検索結果最適化装置２０に送る（ステップ１０３）。ＷＥＢ検索結果最適化装置２０は、検索結果のＷＥＢサイト情報一覧に対して（ステップ１０４）、ＷＥＢ検索エンジン３０による検索結果のＷＥＢサイトのサイト情報と、評価コメントデータベース２７のＷＥＢサイトの整理済み評価コメントとを同一ＷＥＢサイトに対して、戻り値表で連結する（ステップ１０５）。定形最適化条件における推奨度合いのレーティングと指定項目条件とによって戻り値表をソートし、ＷＥＢサイトを指定条件の下で推奨の度合い順に先頭から並べて、クライアント端末１０に送る（ステップ１０６）。
【００２６】
ユーザはクライアント端末１０で最適化された並び順のＷＥＢサイト情報一覧からホームページを閲覧し、要すれば閲覧ホームページに対する定形評価コメントをツールバー上のテンプレート２３３０から入力し、各項目内容に度数を付した度数付き評価コメントを評価コメント記憶データベース２６に蓄積する。評価コメント記憶データベース２６に蓄積された度数付き評価コメントはＷＥＢサイト対応にレコードを構成し、既に蓄積された同じ項目内容に対して、それの度数を更新して蓄積される（ステップ１０７）。
【００２７】
ユーザは、クライアント端末１０から評価コメントデータベース２７の更新を要求すると、評価コメント記憶データベース２６からＷＥＢサイト対応に度数付き評価コメントの項目毎に最大度数の内容を選択整理した整理済み評価コメントを作成して評価コメントデータベース２７に格納する。ユーザから入力される定形評価コメントが整理済み評価コメントに集計されて、評価コメントデータベース２７に格納される（ステップ１０８）。
【００２８】
ユーザが入力操作する評価コメント入力テンプレート２３３０及び最適化条件入力テンプレート２４５０について説明する。図４（ａ）を参照すると、クライアント端末１０のＧＵＩにおけるツールバーを利用したテンプレートで評価コメントを入力する。評価コメント入力テンプレート２３３０は、評価コメント入力テンプレート２３３０と最適化条件入力テンプレート２４５０とを選択するスイッチ２３３１と、評価コメント入力モードを選択したことを示す表示２３３２と、ＷＥＢ検索エンジン３０に対する検索条件を入力する入力欄２３３３と、ホームページが女性向きか、あるいは男性向きか、または性別なしか、を選択する項目２３３４と、ホームページがどの年齢層に向いているかを選択する対象年代プルダウンメニュー項目２３３５と、該当のホームページの推奨する度合いを星印の数で示すおすすめ度のレーティング項目２３３６と、グルメやレストランや演劇や美術展などの短語を入力するキーワード項目２３３７と、送信ボタン２３３８と、を含む。
【００２９】
図４（ｂ）を参照すると、クライアント端末のＧＵＩにおけるツールバー上の最適化条件入力テンプレート２４５０は、評価コメント入力テンプレート２３３０と最適化条件入力テンプレート２４５０とを選択するスイッチ２４５１と、最適化条件入力モードが選択されていることを示す表示２４５２と、ＷＥＢ検索エンジン３０に対する検索条件を入力する入力欄２４５３と、ホームページが女性向きか、あるいは男性向きか、または性別なしか、を選択する項目２４５４と、ホームページがどの年齢層向けかを選択する対象年代プロダウンメニュー項目２４５５と、評価コメントデータベース２７に対する最適化条件の短語キーワードの入力欄２４５６と、送信ボタン２４５７と、を含む。上述の評価コメント入力テンプレート２３３０及び最適化条件テンプレート２４５０を用いることによって、ホームページに対する評価コメント入力及びＷＥＢサイト情報一覧の並び替え指示が容易な操作でできることが示される。
【００３０】
次に、評価コメント記憶データベース２６を例示する評価コメント記憶データベース２６０を示す図５を説明する。評価コメント記憶データベース２６０のレコードの項目構成は、評価コメント入力テンプレート２３３０に対応して、ＷＥＢサイトを示すＵＲＬ２６１と、おすすめ度であるレーティング２６２と、該おすすめ度の各同一ランクに対するユーザ入力の度数２６２０と、ホームページのタイトル及び説明文２６３と、対象性別の向きを示す性別２６４と、同一性別に対するユーザ入力の度数２６４０と、対象の年齢層を示す対象年齢２６５と、年齢層に対するユーザ入力の度数２６５０と、ユーザが入力する短語キーワード２６６と、同一キーワードに対する入力度数２６６０と、を保持し、評価コメント記憶データベース２６０がユーザがホームページを閲覧して入力した定形評価コメントをＷＥＢサイトのＵＲＬに対応して度数付き評価コメントとして蓄積する。
【００３１】
次に、評価コメントデータベース２７を例示する評価コメントデータベース２７０を示す図６（ａ）を説明する。評価コメント記憶データベース２６０の各ＵＲＬに対応する項目２６２乃至２６６に対して、それら項目の度数２６２０，２６４０，２６５０，２６６０から項目毎に度数が最も大きい内容を抽出し、ＵＲＬ対応に該内容を項目内容として評価コメントデータベース２７０を構成する。項目内容に評価コメント入力がない場合、「なし」の度数を計測して該当の項目に「なし」を記入する。また、度数が同一の項目内容がある場合、その一つを所定のルールによって採る。
【００３２】
図６（ｂ）を参照して、ＷＥＢ検索エンジン３０から渡される検索結果のＷＥＢサイト情報一覧を例示するＷＥＢ検索エンジン検索結果３０１を説明する。ＷＥＢ検索エンジンの検索結果３０１は、ＷＥＢサイトを示すＵＲＬ３０２と、ホームページのタイトル３０３と、それの説明文３０４と、言語コード３０５と、ＷＥＢ検索エンジン３０が計測するアクセス回数などの基準で定めるスコア３０６と、を含み、スコア３０６の順に並べられる。
【００３３】
図６（ｃ）を参照して、ＷＥＢ検索エンジン３０の検索結果３０１と評価コメントデータベース２７０とを照合し、合致するＵＲＬに対して評価コメントデータベース２７０の項目を検索結果３０１に連結させる処理の途中に作られる戻り値表２２０について説明する。戻り値表２２０は、検索結果３０１の順番２２０１と、順番２２０１に該当するＵＲＬ２２０２と、該ＵＲＬ２２０２のホームページのタイトル２２０３と、説明文２２０４と、言語コード２２０５と、スコア２２０６と、に対して、評価コメントデータベース２７０のＵＲＬ２７１と、レーティング２７２と、性別２７４と、対象年齢２７５と、キーワード２７６と、が連結されて、それぞれレーティング２２０７、性別２２０８と、対象年齢２２０９と、キーワード２２１０と、によって構成される。
【００３４】
図６（ｄ）を参照すると、戻り値表２２０に対して、最適化条件を適用して、戻り値表２２０をソートしてサイト順番を並び替えた結果を示す最適化された検索結果２２５はレーティング２２０７を降順に戻り値表２２０をソートする。戻り値表２２０はレーティング順に検索結果が先頭に挿入されたサイト順になる。したがって、ユーザが欲するＷＥＢサイトが一覧の先頭の方に容易に見出すことができる。この例では、おすすめ度をソート条件にして最適化したが、他の条件を一つ以上指定する、例えば性別の女性向きを指定しておすすめ度にしたがってソートすることによって女性向きのおすすめ度順に並び替えるなどソート条件を指定することができる。
【００３５】
次に、この実施例における検索結果のＷＥＢサイト情報一覧表示を最適化する方法を示すフローチャートの図３を参照し、ＷＥＢ検索エンジン３０の検索結果３０１、評価コメントデータベース２７０、処理途中に作成される戻り値表２２０、最適化された検索結果２２５を例示する図６（ａ）、（ｂ）、（ｃ）、（ｄ）を援用して説明する。ユーザがクライアント端末１０のＧＵＩにおけるツールバーの検索条件欄２３３３に検索条件を入力する（図３のステップ５０１）。ＷＥＢ検索結果最適化装置２０の検索条件入力部２１は該検索条件をＷＥＢ検索エンジン３０に送り、ＷＥＢ検索エンジン３０は、ＷＥＢサイトのＵＲＬ３０２、タイトル３０３、説明文３０４、言語コード３０５、ＷＥＢ検索エンジン３０が与えるスコア３０６を含むレコードを収容するＷＥＢサイト情報一覧の検索結果３０１を検索結果出力部２２に渡す（ステップ５０２）。検索結果出力部２２は検索結果３０１を格納する戻り値表２２０を生成し、それのポインタｉを１に設定する（ステップ５０３）。検索結果３０１の各レコードを戻り値表２２０のエントリに順番２２０１からスコア２２０６までにそれぞれ格納する（ステップ５０４）。
【００３６】
次に、検索結果最適化出力部２２は評価コメントデータベース２７０をＷＥＢ検索エンジン３０の検索結果３０１のＵＲＬ３０２で検索する（ステップ５０５）。ＵＲＬ３０２に対応するＵＲＬ２７１が評価コメントデータベース２７０に存在するか否かを判定する（ステップ５０６）。対応するＵＲＬ２７１が存在する場合（ステップ５０６のＹＥＳ）、評価コメントデータベース２７０の該当するＵＲＬ２７１の各項目２７２乃至２７６を戻り値表２２０のｉ番目のエントリの項目２２０７乃至２２１０にセットする（ステップ５０７）。ポインタｉをｉ＋１して、エントリを次に移動させる（ステップ５０８）。ポインタｉと戻り値表３１のエントリの最大値とを比較する（ステップ５０９）。ポインタｉが戻り値表２２０の最大値を越えると（ステップ５０９のＹＥＳ）、戻り値表２２０を最適化条件入力部２４から与えられる定形最適化条件で、戻り値表２２０をソートを行う。例示する戻り値表２２０を最適化した検索結果２２５は、おすすめ度であるレーティング２２５７で戻り値表２２０をソートした例である（ステップ５１０）。検索結果最適化出力部２２は、最適化された検索結果２２５をクライアント端末１０に出力する（ステップ５１１）。
【００３７】
ユーザはクライアント端末１０で最適化された検索結果２２５からホームページを閲覧し、該ホームページに対する定形評価コメントを入力し、評価コメント入力部２４を通じて度数付き評価コメントを評価コメント記憶データベース２６に格納する（ステップ５１２）。ユーザはクライアント端末１０から評価コメントデータベース２７の更新を要求し、評価コメント記憶データベース２６の度数付き評価コメントの蓄積状況から整理済み評価コメントを作成し、評価コメントデータベース２７を更新して、ユーザの人気や判定を整理済み評価コメントに反映させる（ステップ５１３）。
【００３８】
以上の説明で、評価コメントや最適化条件の入力方法として、ブラウザのツールバー上のテンプレートとして説明したが、ブラウザのメニューやデスクトップ上のアプリケーションやデスクトップのアイコンとして実施できることは明らかである。
【００３９】
更に、ＷＥＢ検索結果の最適表示方法をコンピュータに実行させるプログラムは、図示しないコンピュータ記憶装置からロードされて実行することは明らかである。
【産業上の利用可能性】
【００４０】
インターネットによるＷＥＢ検索結果のＷＥＢサイト情報一覧をユーザが欲するサイト順番に組み替えるて提示する分野に適用できる。
【図面の簡単な説明】
【００４１】
【図１】この発明の実施の一形態であるＷＥＢ検索エンジン、ＷＥＢ検索結果最適化装置、クライアント端末でなるシステム構成を示す図である。
【図２】検索キーワード入力開始から最適化されたＷＥＢサイト情報一覧を出力するまでの手順を示す図である。
【図３】ＷＥＢ検索結果最適化装置の動作を示すフローチャートである。
【図４】分図（ａ）はツールバー上の評価コメント入力テンプレート、分図（ｂ）はツールバー上の最適化条件入力テンプレートをそれぞれ例示する図である。
【図５】評価コメント記憶データベースの構成を例示する図である。
【図６】分図（ａ）は評価コメントデータベースの構成、分図（ｂ）はＷＥＢ検索エンジンによる検索結果のＷＥＢサイト情報一覧、分図（ｃ）は最適化処理で作成される戻り値表、分図（ｄ）は最適化されたＷＥＢサイト情報一覧、をそれぞれ例示する図である。
【図７】従来技術を例示する図である。
【符号の説明】
【００４２】
１０    クライアント端末
２０    ＷＥＢ検索結果最適化装置
２１    検索条件入力部
２２    検索結果最適化出力部
２３    評価コメント入力部
２４    最適化条件入力部
２５    評価コメントデータベース更新部
２６    評価コメント記憶データベース
２７    評価コメントデータベース
３０    ＷＥＢ検索エンジン
４０    ネットワーク
【図１】
2007034772.tif 000003
【図２】
2007034772.tif 000004
【図３】
2007034772.tif 000005
【図４】
2007034772.tif 000006
【図５】
2007034772.tif 000007
【図６】
2007034772.tif 000008
【図７】
2007034772.tif 000009